(57)【要約】【課題】  本発明は、薄くて軽い構成により壁掛用のフォトフレームとして好適で、かつ、写真の抜き差しが容易で、写真の交換を非常に簡単に行うことができる、フォトフレーム、及び、カレンダー付フォトフレームを提供することを目的とする。【解決手段】  カレンダー８付のフォトフレーム１は、表板２と背板３とが、前記フォトフレーム１下側の縁部、及び、フォトフレーム１上側の縁部において接合されており、写真Ｆをスライドさせることによって、フォトフレーム１において写真を容易に抜き差しできるように構成されていることを特徴としている。【選択図】図４
2011194038.tif 000002
【特許請求の範囲】
【請求項１】
背板と、窓が設けられた表板との間に写真を入れられるようになっているフォトフレームであって、当該フォトフレーム上側の縁部には貫通孔が設けられており、また、当該フォトフレーム下側の縁部にはフックが取り付けられており、前記表板と前記背板とが、前記フォトフレーム下側の縁部、及び、前記フォトフレーム上側の縁部において接合されており、写真をスライドさせることによって、前記フォトフレームにおいて写真を容易に抜き差しできるように構成されていることを特徴とするフォトフレーム。
【請求項２】
フォトフレームと、当該フォトフレーム下側の縁部に取り付けられたフックに吊り下げられたカレンダーとからなるカレンダー付フォトフレームであって、前記フォトフレームが、請求項１に記載のフォトフレームであることを特徴とする、カレンダー付フォトフレーム。
【発明の詳細な説明】
【技術分野】
【０００１】
本発明は、背板と、窓が設けられた表板との間に写真を入れられるようになっているフォトフレーム、及び、そのようなフォトフレームにカレンダーが吊り下げられているカレンダー付フォトフレームに関し、特に、薄くて軽い構成により壁掛用のフォトフレームとして好適で、かつ、写真の抜き差しが容易で、写真の交換を非常に簡単に行うことができる、フォトフレーム、及び、カレンダー付フォトフレームに関するものである。
【背景技術】
【０００２】
従来より、以下の特許文献１にも記載されているようなフォトフレーム（写真入れ）が知られている。従来のフォトフレームは、周知の通り、基本的に、背板と、窓が設けられた表板とからなり、その窓を通して、背板と表板との間に挟まれた写真を見せることができるようになっている。また、従来のフォトフレームは、額のように、背板の部分が複数の止め具によって固定されており、写真の交換は、この止め具を動かして背板を外してから行われるようになっている。
【０００３】
しかしながら、このような従来のフォトフレームは、写真を交換する際に、止め具を動かしてから背板を外し、古い写真と新しい写真とを入れ替えた後、また背板を取り付けてから止め具を動かして背板を固定するという非常に煩雑な作業を必要とする、という問題があった。この問題は、特に、壁掛用のフォトフレームにおいて顕著なものとなる。なぜなら、写真を交換する際に、せっかく取り付けているフォトフレームを壁から取り外し、写真交換の後、またフォトフレームを改めて壁に取り付けなくてはならないからである。
【０００４】
また、従来のフォトフレームは、木材や厚みのある合成樹脂など、比較的重量のある材料によって製造されているため、壁面に粘着材によって固定するような、いわゆるシールフック等と呼ばれるものによっては、フォトフレームの重みによって落下する危険性があり、これらシールフック等を気軽には使用できない、という問題もあった。特に、この問題は、フォトフレームが大型化した場合に顕著なものとなってしまっていた。
【０００５】
本願発明者は、このような実情のもと、背板と、窓が設けられた表板との間に写真を入れられるようになっているフォトフレーム、及び、そのようなフォトフレームにカレンダーが吊り下げられているカレンダー付フォトフレームに関し、薄くて軽い構成により壁掛用のフォトフレームとして好適で、かつ、写真の抜き差しが容易で、写真の交換を非常に簡単に行うことができるもの開発について鋭意検討を重ねた。
【０００６】
その結果、本願発明者は、表板と背板とが、フォトフレーム下側の縁部、及び、フォトフレーム上側の縁部において接合されており、写真をスライドさせることによって、フォトフレームにおいて写真を容易に抜き差しできるように構成することによって、以上のような問題を解決することができるという知見を得、本発明を創作するに至った。
【０００７】
なお、本発明を出願するにあたって、本願発明者において過去の特許文献等を調査したところ、フォトフレーム、及び、カレンダー付フォトフレームに関し、下記の文献を発見することができたが、本発明に係る技術的思想等を詳述した特許文献については発見することができなかった。
【先行技術文献】
【特許文献】
【０００８】
【特許文献１】特開２００２−１１９４００号公報
【特許文献２】特開平９−２７２２８０号公報
【発明の概要】
【発明が解決しようとする課題】
【０００９】
本発明は、背板と、窓が設けられた表板との間に写真を入れられるようになっているフォトフレーム、及び、そのようなフォトフレームにカレンダーが吊り下げられているカレンダー付フォトフレームに関し、特に、薄くて軽い構成により壁掛用のフォトフレームとして好適で、かつ、写真の抜き差しが容易で、写真の交換を非常に簡単に行うことができる、フォトフレーム、及び、カレンダー付フォトフレームを提供することを目的とする。
【課題を解決するための手段】
【００１０】
そのための手段として、本発明に係るフォトフレームは、背板と、窓が設けられた表板との間に写真を入れられるようになっているフォトフレームであって、当該フォトフレーム上側の縁部には貫通孔が設けられており、また、当該フォトフレーム下側の縁部にはフックが取り付けられており、前記表板と前記背板とが、前記フォトフレーム下側の縁部、及び、前記フォトフレーム上側の縁部において接合されており、写真をスライドさせることによって、前記フォトフレームにおいて写真を容易に抜き差しできるように構成されていることを特徴としている。
【００１１】
また、本発明に係るカレンダー付フォトフレームは、フォトフレームと、当該フォトフレーム下側の縁部に取り付けられたフックに吊り下げられたカレンダーとからなるカレンダー付フォトフレームであって、前記フォトフレームが、背板と、窓が設けられた表板との間に写真を入れられるようになっているフォトフレームであって、当該フォトフレーム上側の縁部には貫通孔が設けられており、また、当該フォトフレーム下側の縁部にはフックが取り付けられており、前記表板と前記背板とが、前記フォトフレーム下側の縁部、及び、前記フォトフレーム上側の縁部において接合されており、写真をスライドさせることによって、前記フォトフレームにおいて写真を容易に抜き差しできるように構成されていることを特徴としている。
【発明の効果】
【００１２】
本発明によれば、背板と、窓が設けられた表板との間に写真を入れられるようになっているフォトフレーム、及び、そのようなフォトフレームにカレンダーが吊り下げられているカレンダー付フォトフレームに関し、特に、薄くて軽い構成により壁掛用のフォトフレームとして好適で、かつ、写真の抜き差しが容易で、写真の交換を非常に簡単に行うことができる、フォトフレーム、及び、カレンダー付フォトフレームを提供することができる。
【図面の簡単な説明】
【００１３】
【図１】本発明の実施形態に係るフォトフレーム１の正面図
【図２】本発明の実施形態に係るフォトフレーム１の背面図
【図３】本発明の実施形態に係るカレンダー付フォトフレームの外観図
【図４】フォトフレーム１の使用状態を示した図
【図５】フォトフレーム１の使用状態を示した図
【図６】フォトフレーム１のその他の実施形態を示した図
【図７】フォトフレーム１のその他の実施形態を示した図
【図８】フォトフレーム１のその他の実施形態を示した図
【発明を実施するための形態】
【００１４】
以下、本発明に係るフォトフレーム、及び、カレンダー付フォトフレームを実施するための形態について、図面を参照しながら説明する。図１は、本実施形態に係るフォトフレーム１の正面図、図２は、フォトフレーム１の背面図を示したものである。フォトフレーム１は、基本的に、シート状の長方形をした表板２と、同じくシート状の長方形をした背板３とから構成されており、図示されているように、表板２には、窓４が設けられている。
【００１５】
なお、フォトフレーム１や表板２において、窓４の外枠となる部分を、本願発明においては、フォトフレーム１の「縁部５」とし、フォトフレーム１内に入る写真を正面から見た場合に、その写真の上側、及び、下側に位置することになる縁部５を、それぞれ「上側の縁部５ａ」及び「下側の縁部５ｂ」と、また、その写真の左側、及び、右側に位置することになる縁部５を、それぞれ「左側の縁部５ｃ」及び「右側の縁部５ｄ」とする。
【００１６】
そして、上側の縁部５ａには、貫通孔６が設けられており、ここに、ここでは図示されないピンやフック等を通すことによって、フォトフレーム１を壁に吊り下げ、これにより、フォトフレーム１を壁掛用のものとして使用することができるようになっている。
【００１７】
また、下側の縁部５ｂには、二つのフック７，７が取り付けられており、このフック７，７に、図３に示したように、カレンダー８を吊り下げることによって、フォトフレーム１を、カレンダー付フォトフレームとすることができるようになっている。
【００１８】
さらに、表板２と背板３とは、フォトフレーム１の上側の縁部５ａの最端辺部５ｐ、及び、同じく下側の縁部５ｂの最端辺部５ｑにおいて、接着剤によって接合されている。一方、表板２と背板３とは、フォトフレーム１の左側の縁部５ｃ、及び、同じく右側の縁部５ｄにおいては、いずれも接合されていない。そのため、フォトフレーム１は、その左右両側から、写真を抜き差しすることができるようになっている。
【００１９】
図４及び図５は、以上の通り説明したフォトフレーム１の使用状態を示したものである。図４に示したように、本実施形態に係るフォトフレーム１を使用する際は、写真Ｆをフォトフレーム１の横からスライドさせ、表板２と背板３との間に挟み込むようにして、フォトフレーム１に入れるようにする。このようにして、フォトフレーム１を図５に示したような状態とし、これを貫通孔６に通したピン等（図示せず）によって壁面に固定し、壁掛用のフォトフレームとして使用することができる。
【００２０】
なお、以上の実施形態において、表板２及び背板３を構成する材料は、軽量で可撓性のものであれば、基本的に、どのようなものを使用しても構わない。ただ、フォトフレーム１を薄くて軽い構成とし、壁掛用のものとして好適なものとする観点、及び、加工性やコスト等の点から考えた場合、表板２及び背板３を構成する材料は、塩化ビニールやアクリル等の合成樹脂によって構成することが好ましい。
【００２１】
また、以上の実施形態においては、フォトフレーム１の表板２及び背板３において、縁部５ａの最端辺部５ｐと縁部５ｂの最端辺部５ｑとが、接着剤によって接合されているが、これらは接合がされていれば良く、その接合手段は接着剤に限られるものではない。例えば、図６に示したような、フォトフレーム１の上側の縁部５ｂ、及び、同じく下側の縁部５ｂに革ひも９を通し、この革ひも９を編み合わせることによって、表板２と背板３とを接合するようにしても構わない。
【００２２】
なお、この場合、革ひも９の有する質感によって、フォトフレーム１に高級感を醸し出すことも可能となる。また、この場合は、表板２や背板３を構成する材料も皮革とすることによって、高級感に関し、より一層の効果も期待することができる。さらに、この他にも、表板２と背板３との接合においては、当然ながら、超音波溶着等といった、公知の手段を採用することも可能である。
【００２３】
また、表板２と背板３との接合に関し、フォトフレーム１の上側の縁部５ａについては最端辺部５ｐの両端のみ、下側の縁部５ｂについては最端辺部５ｑすべてを接合することとすれば、写真Ｆを、左右側だけでなく、上側から抜き差しすることも可能となり、より使い勝手の良いフォトフレーム１を提供することもできる。
【００２４】
さらに、以上の実施形態においては、背板３を開口部等の無い一枚板によって構成しているが、図７に示したように、背板３の中央部に開口部１０を設け、フォトフレーム１の強度を維持しつつも、その更なる軽量化を図ることができるような構成にしても良い。
【００２５】
また、本発明に係るフォトフレーム１については、以上の実施形態に示したものの他に、例えば、図８で示したように、フォトフレーム１の外周をなす縁部５を、比較的細めに構成しても構わない。なお、縁部５をこのように構成した場合には、フォトフレーム１に入れる写真Ｆをより大きなサイズで見せることが可能となる。また、ここでは図示しないが、表板２すべてを、透明なアクリル板等によって構成し、表板２とほぼ同じ大きさを有する写真Ｆの全面を見せることができるようしても構わない。
【００２６】
さらに、ここでは図示しないが、フォトフレーム１の下側の縁部５ｂの内側において、写真Ｆを下側から支持できるように構成した受け部を水平方向に沿って設けることで、写真Ｆのずり落ちを防止し、写真Ｆを、常に好適に窓４から見せられるような構成とすることも可能である。なお、この場合、当該受け部は、表板２や背板３に突起を設けたり、帯状の布材を貼り付けたりすること等によって、下側の縁部５ｂの内側に出っ張りを形成することで、これを設けることが可能である。また、以上の実施形態において、窓４は、単なる開口部分として構成されているが、この窓４の内側に、透明なアクリル板等を固定するようにしても構わない。このようにすることで、写真Ｆを汚れやホコリから守る構成とすることも可能である。
【００２７】
さらに、以上の実施形態においては、フック７にカレンダーを吊り下げることとしているが、ここには、カレンダー以外の印刷物や小物等を吊り下げるようにしても構わない。このようにすることで、本発明に係るフォトフレームを、カレンダー以外の印刷物や小物等を吊り下げられるフォトフレームとすることもできる。また、フック７の数は、特に限定されることはなく、１個でも、或いは、３個以上の複数個を取り付けるようにしても構わない。
【００２８】
さらに、以上の実施形態においては、フォトフレーム１は、縦が短く、横が長い長方形としているが、フォトフレーム１の形状は、これに限定されることはない。従って、縦に長い長方形や、正方形、また、それら以外の多角形（適宜角取りされたものも含む）や、円・楕円を基本形状としたもの等、どのような形状をしたものであっても、フォトフレーム１の形状として採用することが可能である。
【００２９】
なお、以上に説明した実施形態や、それに係る説明は、本発明に係る技術的思想の一部を具現化したものに過ぎず、本発明は、当然ながら、ここで説明されたフォトフレームや、フォトフレーム付カレンダーに限定されるものでは無い。また、本発明の範囲には、本発明の技術的思想が具現化されたものも、当然に含まれるものとする。
【産業上の利用可能性】
【００３０】
以上に説明したように、本発明によれば、背板と、窓が設けられた表板との間に写真を入れられるようになっているフォトフレーム、及び、そのようなフォトフレームにカレンダーが吊り下げられているカレンダー付フォトフレームに関し、特に、薄くて軽い構成により壁掛用のフォトフレームとして好適で、かつ、写真の抜き差しが容易で、写真の交換を非常に簡単に行うことができる、フォトフレーム、及び、カレンダー付フォトフレームを提供することができる。
【符号の説明】
【００３１】
１：フォトフレーム、
２：表板、
３：背板、
４：窓、
５：縁部、
５ａ：フォトフレーム１の上側の縁部、
５ｂ：フォトフレーム１の下側の縁部、
５ｃ：フォトフレーム１の左側の縁部、
５ｄ：フォトフレーム１の右側の縁部、
５ｐ：縁部５ａの最端辺部、
５ｑ：縁部５ｂの最端辺部、
６：貫通孔、
７：フック、
８：カレンダー、
９：革ひも、
１０：開口部、
Ｆ：写真
【図１】
2011194038.tif 000003
【図２】
2011194038.tif 000004
【図３】
2011194038.tif 000005
【図４】
2011194038.tif 000006
【図５】
2011194038.tif 000007
【図６】
2011194038.tif 000008
【図７】
2011194038.tif 000009
【図８】
2011194038.tif 000010